【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
滅菌室ドアを有する滅菌室の中に滅菌確認機器を設置する設置装置であって、
前記滅菌確認機器は、
滅菌ガスを前記滅菌室を介して導入する導入菅と連通し、滅菌室ドアに連結され、滅菌
結果を検出可能なインジケータを挿入する開口部を備える収納室を具備し、
前記滅菌室の前記滅菌室ドアが開いた場合には、前記開口部が開いて前記インジケータ
の挿入が可能であり、かつ、前記滅菌室の前記滅菌室ドアが閉じた場合には、前記開口部
が密閉されるように前記開口部を前記滅菌室ドアの内壁に接触させて前記収納室を配置する配置手段を備え、
前記滅菌室の前記滅菌室ドアが開いた場合と、前記滅菌室の前記滅菌室ドアが閉じた場合とでは前記収納室がそれぞれ異なる位置になるように、前記配置手段が前記収納室を配置し、
前記配置手段は、前記滅菌室ドアの開閉動作に連動して、前記収納室を前記異なる位置に配置することを特徴とする設置装置。
【請求項２】
前記滅菌室ドアが開いた場合には、前記配置手段が、前記インジケータを挿入する開口部を含む平面が傾くような位置に前記収納室を回動させて配置することを特徴とする請求項１に記載の設置装置。
【請求項３】
前記滅菌室に固定されている基準棒が前記滅菌室ドアの閉動作に応じて前記収納室に連結された押圧板の背面を押圧することによって、前記滅菌室の前記滅菌室ドアが閉じた場合に、前記滅菌室ドアの閉動作に連動して、前記収納室を配置することを特徴とする請求項１または請求項２に記載の設置装置。
【請求項４】
前記配置手段がさらに、前記滅菌室ドアに連結されており、
前記滅菌室の前記滅菌室ドアが閉じた場合には、前記配置手段が前記滅菌室の中に配置され、
前記滅菌室の前記滅菌室ドアが開いた場合には、前記配置手段が前記滅菌室の外に配置されることを特徴とする請求項１乃至請求項３のいずれか１項に記載の設置装置。
【請求項５】
前記回動を制御する回動モータを備え、
前記回動モータを用いて前記配置手段は前記滅菌室ドアの開閉動作に連動して前記収納室の回動を制御することを特徴とする請求項２に記載の設置装置。
【請求項６】
滅菌ガスを滅菌室を介して導入する導入菅と連通し、滅菌室ドアに連結され、滅菌結果を検出可能なインジケータを挿入する開口部を備える収納室を具備する滅菌確認機器を備え、
滅菌室ドアを有する前記滅菌室の中に滅菌確認機器を設置する設置装置による設置方法であって、
前記設置装置の配置手段が、前記滅菌室の前記滅菌室ドアが開いた場合には、前記開口部が開いて前記インジケータの挿入が可能であり、かつ、前記滅菌室の前記滅菌室ドアが閉じた場合には、前記開口部が密閉されるように前記開口部を前記滅菌室ドアの内壁に接触させて前記収納室を配置する配置工程を含み、
前記滅菌室の前記滅菌室ドアが開いた場合と、前記滅菌室の前記滅菌室ドアが閉じた場合とでは前記収納室がそれぞれ異なる位置になるように、前記配置工程が前記収納室を配置し、
前記配置工程は、前記滅菌室ドアの開閉動作に連動して、前記収納室を前記異なる位置に配置することを特徴とする設置方法。
【請求項７】
滅菌室ドアを有する滅菌室の中に滅菌確認機器を設置する滅菌装置であって、
前記滅菌確認機器は、
滅菌ガスを前記滅菌室を介して導入する導入菅と連通し、滅菌室ドアに連結され、滅菌
結果を検出可能なインジケータを挿入する開口部を備える収納室を具備し、
前記滅菌室の前記滅菌室ドアが開いた場合には、前記開口部が開いて前記インジケータ
の挿入が可能であり、かつ、前記滅菌室の前記滅菌室ドアが閉じた場合には、前記開口部
が密閉されるように前記開口部を前記滅菌室ドアの内壁に接触させて前記収納室を配置する配置手段を備え、
前記滅菌室の前記滅菌室ドアが開いた場合と、前記滅菌室の前記滅菌室ドアが閉じた場合とでは前記収納室がそれぞれ異なる位置になるように、前記配置手段が前記収納室を配置し、
前記配置手段は、前記滅菌室ドアの開閉動作に連動して、前記収納室を前記異なる位置に配置することを特徴とする滅菌装置。
【請求項８】
滅菌ガスを滅菌室を介して導入する導入菅と連通し、滅菌室ドアに連結され、滅菌結果を検出可能なインジケータを挿入する開口部を備える収納室を具備する滅菌確認機器を備え、
滅菌室ドアを有する前記滅菌室の中に滅菌確認機器を設置する滅菌装置による滅菌方法であって、
前記設置装置の配置手段が、前記滅菌室の前記滅菌室ドアが開いた場合には、前記開口部が開いて前記インジケータの挿入が可能であり、かつ、前記滅菌室の前記滅菌室ドアが閉じた場合には、前記開口部が密閉されるように前記開口部を前記滅菌室ドアの内壁に接触させて前記収納室を配置する配置工程を含み、
前記滅菌室の前記滅菌室ドアが開いた場合と、前記滅菌室の前記滅菌室ドアが閉じた場合とでは前記収納室がそれぞれ異なる位置になるように、前記配置工程が前記収納室を配置し、
前記配置工程は、前記滅菌室ドアの開閉動作に連動して、前記収納室を前記異なる位置に配置することを特徴とする滅菌方法。
【手続補正２】
【補正対象書類名】明細書
【補正対象項目名】発明の名称
【補正方法】変更
【補正の内容】
【発明の名称】設置装置と設置方法、および滅菌装置と滅菌方法
【手続補正３】
【補正対象書類名】明細書
【補正対象項目名】０００１
【補正方法】変更
【補正の内容】
【０００１】
本発明は設置装置と設置方法、および滅菌装置と滅菌方法に関する。
【手続補正４】
【補正対象書類名】明細書
【補正対象項目名】０００５
【補正方法】変更
【補正の内容】
【０００５】
本願発明は、滅菌室ドアを有する滅菌室の中に滅菌確認機器を設置する設置装置であって、前記滅菌確認機器は、滅菌ガスを前記滅菌室を介して導入する導入菅と連通し、滅菌室ドアに連結され、滅菌結果を検出可能なインジケータを挿入する開口部を備える収納室を具備し、前記滅菌室の前記滅菌室ドアが開いた場合には、前記開口部が開いて前記インジケータの挿入が可能であり、かつ、前記滅菌室の前記滅菌室ドアが閉じた場合には、前記開口部が密閉されるように前記開口部を前記滅菌室ドアの内壁に接触させて前記収納室を配置する配置手段を備え、前記滅菌室の前記滅菌室ドアが開いた場合と、前記滅菌室の前記滅菌室ドアが閉じた場合とでは前記収納室がそれぞれ異なる位置になるように、前記配置手段が前記収納室を配置し、前記配置手段は、前記滅菌室ドアの開閉動作に連動して、前記収納室を前記異なる位置に配置することを特徴とする。
また、前記滅菌室ドアが開いた場合には、前記配置手段が、前記インジケータを挿入する開口部を含む平面が傾くような位置に前記収納室を回動させて配置することを特徴とする。
また、前記滅菌室に固定されている基準棒が前記滅菌室ドアの閉動作に応じて前記収納室に連結された押圧板の背面を押圧することによって、前記滅菌室の前記滅菌室ドアが閉じた場合に、前記滅菌室ドアの閉動作に連動して、前記収納室を配置することを特徴とする。
また、前記配置手段がさらに、前記滅菌室ドアに連結されており、前記滅菌室の前記滅菌室ドアが閉じた場合には、前記配置手段が前記滅菌室の中に配置され、前記滅菌室の前記滅菌室ドアが開いた場合には、前記配置手段が前記滅菌室の外に配置されることを特徴とする。
また、前記回動を制御する回動モータを備え、前記回動モータを用いて前記配置手段は前記滅菌室ドアの開閉動作に連動して前記収納室の回動を制御することを特徴とする。